(57)【要約】【課題】フィールドシーケンシャルカラー方式で表示させる液晶表示装置で、各色の輝度を個別に変化させると色ムラが発生していた。【解決手段】フィールドシーケンシャルカラー方式で表示する液晶表示装置において、液晶制御部１１は、１フィールドまたは１フレームの期間内に設けられた色毎の各期間に、各色に対応する表示用データに対応する電圧を信号線に供給させ、ＬＥＤ制御部１２は、光源１７の色を、色毎の各期間に対応させて時間順次で切り替え、各期間毎の所定期間において、光源１７をＰＷＭ制御して各色毎の輝度を調節する。【選択図】図２
2008020549.tif 000002
【特許請求の範囲】
【請求項１】
マトリックス状に配置された信号線および走査線、および前記信号線および前記走査線の交点に設けられた液晶表示素子を有する液晶表示パネルと、前記液晶表示パネルに照射する光源と、入力される映像データから表示用データを作成する信号処理部とを備えた、時間的な加法混色でカラー表示を行う液晶表示装置の表示方法であって、
１フィールドまたは１フレームの期間内に設けられた色毎の各期間に、前記各色に対応する前記表示用データに対応する電圧を前記信号線に供給する表示電圧供給ステップと、
前記光源の色を、前記色毎の各期間に対応させて時間順次で切り替え、前記各期間毎の所定期間において、前記光源をＰＷＭ（Pulse Width Modulation）制御して各色毎の輝度を調節する光源制御ステップとを備えた、液晶表示装置の表示方法。
【請求項２】
前記各色は、赤、緑、青の３色であり、
前記光源は、赤、緑、青のＬＥＤ素子である、請求項１に記載の液晶表示装置の表示方法。
【請求項３】
前記各所定期間は、対応する色の表示データの最初のデータが書き込み開始されるタイミングから、前記対応する色の表示データの次の色の最初のデータが書き込み開始されるタイミングまでの期間内の期間である、請求項１に記載の液晶表示装置の表示方法。
【請求項４】
前記液晶表示素子は、ＯＣＢモード液晶である、請求項１に記載の液晶表示装置の表示方法。
【請求項５】
前記表示電圧供給ステップでは、前記各色のうちの一つの色の電圧を前記信号線に供給する期間と、前記各色のうちの次の別の色の電圧を前記信号線に供給する期間との間の期間に、黒色に対応する電圧を前記信号線に供給する、請求項４に記載の液晶表示装置の表示方法。
【請求項６】
前記１フィールドまたは１フレームは、６０Ｈｚであり、
前記光源制御ステップでは、前記光源を４ｋＨｚ以上でＰＷＭ制御する、請求項１に記載の液晶表示装置の表示方法。
【請求項７】
マトリックス状に配置された信号線および走査線、および前記信号線および前記走査線の交点に設けられた液晶表示素子を有する液晶表示パネルと、
前記液晶表示パネルに照射する光源と、
入力される映像データから表示用データを作成する信号処理部と、
１フィールドまたは１フレームの期間内に設けられた色毎の各期間に、前記各色に対応する前記表示用データに対応する電圧を前記信号線に供給させる液晶制御部と、
前記光源の色を、前記色毎の各期間に対応させて時間順次で切り替え、前記各期間毎の所定期間において、前記光源をＰＷＭ制御して各色毎の輝度を調節する光源制御部とを備えた、時間的な加法混色でカラー表示を行う液晶表示装置。
【請求項８】
請求項１に記載の液晶表示装置の表示方法の、前記各色に対応する前記表示用データに対応する電圧を前記信号線に供給する前記表示電圧供給ステップ、および／または、前記光源の色を前記色毎の各期間に対応させて時間順次で切り替え、前記各期間毎の所定期間において前記光源をＰＷＭ制御して各色毎の輝度を調節する前記光源制御ステップ、を実行するためにコンピュータを機能させるためのプログラム。
【請求項９】
請求項８に記載のプログラムを記録した記録媒体であって、コンピュータで利用可能な記録媒体。
【発明の詳細な説明】
【技術分野】
【０００１】
本発明は、液晶表示装置の表示方法および液晶表示装置等に関する。例えば、ＯＣＢモード液晶を用いたフィールドシーケンシャルカラー方式の液晶表示装置の表示方法および液晶表示装置等に関する。
【背景技術】
【０００２】
液晶表示装置は、デスクトップＰＣ用のモニタやＴＶ表示用途のもの以外に、携帯電話、ＰＤＡといった小型・携帯用途のものがある。これまでは携帯用途のディスプレイには反射型のモノクロ液晶が多く用いられてきたが、携帯電話の用途の広がりからカラー化が進んでいる。また、従来のＳＴＮ方式ＬＣＤから、最近では、より映像品位の高い表示が可能なＴＦＴを用いたアクティブマトリクス方式のものが多く用いられるようになってきた。
【０００３】
液晶表示装置で一般的に色表示を行う際には、カラーフィルターを用いるのが通常である。カラーフィルターは、選択的な波長を通過させる特性を有する樹脂を複数種形成した基板である。
【０００４】
最近では、さらにパソコンと同じような画像品位が携帯用途にも求められるようになってきており、フィールドシーケンシャルカラー方式の液晶表示装置の開発が進められている（例えば、特許文献１参照）。
【０００５】
フィールドシーケンシャルカラー方式は、各画素にカラーフィルターを付けずに、１画素で３色（Ｒ、Ｇ、Ｂ）の画像を順次表示する方式であり、従来の駆動方式の液晶に比べ、高透過率、高解像度化が図れる等の利点を有している。
【０００６】
図４は、特許文献１に開示されている、ＯＣＢモード液晶を用いたフィールドシーケンシャルカラー方式の液晶表示装置の構成を示すブロック図である。
【０００７】
この液晶表示装置は、ベンド配向液晶の前面に位相補償板を配設したＯＣＢモードの液晶表示パネル１１６を備えている。そして、Ｒ（赤）、Ｇ（緑）、Ｂ（青）各色のＬＥＤ素子から構成されるＬＥＤバックライト１１７を備え、これらの色を経時的に混色することによりカラー表示を可能としている。
【０００８】
そして、入力される映像信号をＲＧＢの３原色に分ける信号処理部１１０を備えている。また、液晶表示パネル１１６を駆動するソースドライバ１１３およびゲートドライバ１１４を制御する液晶制御部１１１を備えている。また、ＬＥＤバックライト１１７を駆動するＬＥＤドライバ１１５を制御するＬＥＤ制御部１１２を備えている。また、ＲＧＢの色毎の輝度を個別に設定する色別輝度設定部１１８を備えている。
【０００９】
図５は、図４に示す液晶表示装置で１フレームを表示させる際の、表示用データ書き込みタイミングおよびＬＥＤ発光タイミングの一例を示した図である。図５は、ＲＧＢ３色の各輝度をそれぞれ最大輝度に設定している場合のタイミングを示している。
【００１０】
図５に示す「１ライン目の液晶応答」および「最終ライン目の液晶応答」は、それぞれ液晶表示パネル１１６の一番上のラインおよび一番下のラインの液晶表示素子における、データの書き込みタイミングとデータの保持タイミングを示している。
【００１１】
また、図５に示すＲ＿ＬＥＤ、Ｇ＿ＬＥＤ、Ｂ＿ＬＥＤは、それぞれ、赤（Ｒ）のＬＥＤ、緑（Ｇ）のＬＥＤ、青（Ｂ）のＬＥＤの発光タイミングを示している。図５において、ＬＯＷ期間はＬＥＤが発光していないタイミングを、ＨＩＧＨ期間はＬＥＤが発光しているタイミングを、それぞれ示している。
【００１２】
図５に示すＲ順次は、赤（Ｒ）の階調のデータを液晶に書き込んでいるタイミングを示し、それに続くＨＯＬＤは、液晶に書き込んだ赤のデータを保持しているタイミングを示している。同様に、Ｇ順次は、緑（Ｇ）の階調のデータを液晶に書き込んでいるタイミングを示し、それに続くＨＯＬＤは、液晶に書き込んだ緑のデータを保持しているタイミングを示している。また同様に、Ｂ順次は、青（Ｂ）の階調のデータを液晶に書き込んでいるタイミングを示し、それに続くＨＯＬＤは、液晶に書き込んだ青のデータを保持しているタイミングを示している。また、各ＨＯＬＤ期間に続く黒順次には、ＯＣＢモード液晶の逆転移を防止するための黒色のデータを書き込んでいる。
【００１３】
図５に示すように、赤の階調のデータを書き込み保持させているタイミングに、赤のＬＥＤを発光させることにより赤色を表示させる。同様に、緑の階調のデータを書き込み保持させているタイミングに、緑のＬＥＤを発光させることにより緑色を表示させ、青の階調のデータを書き込み保持させているタイミングに、青のＬＥＤを発光させることにより青色を表示させる。
【００１４】
このように、赤、緑、青の各色に対する階調に応じて液晶状態を制御し、ＬＥＤバックライト１１７を時間的に赤、緑、青と切り替えながら点灯させることで、赤、緑、青の映像を順次表示させて時間的に混合することでフルカラー表示が得られる。１フレーム期間（１６．６ｍｓ）に、赤、緑、青のＬＥＤバックライト１１７を切り替えて点灯させることにより、１フレームの画像を表示させる。
【００１５】
このようにして、フィールドシーケンシャルカラー方式による表示が実現されている。
【００１６】
フレーム周波数は通常６０Ｈｚなので、フィールドシーケンシャルカラー方式における色切替え周波数は、その３倍の１８０Ｈｚとなる。したがって、液晶パネルに高速応答性が要求されるため、図４に示したように例えばＯＣＢモードの液晶表示素子を有する液晶表示パネル１１６を用いる。
【００１７】
図６は、ＯＣＢモードの液晶表示素子が有する液晶分子の配向状態を模式的に示した断面図である。図６（ａ）および図６（ｂ）は、電圧印加状態を示した断面図であり、図６（ｃ）は、電圧無印加状態を示した断面図である。
【００１８】
ＯＣＢモードの液晶表示素子を用いた液晶表示装置を構成する液晶表示パネルのガラス基板６１の間には、図６（ａ）等に液晶分子６２として示すように、ネマチック液晶が注入されている。そして、電圧を印加していない液晶の配向状態は、スプレイ状態６３と呼ばれている。ＯＣＢモードの液晶表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図６（ｃ）に示すスプレイ状態６３から図６（ａ）、図６（ｂ）に示すベンド状態６４ａ、６４ｂに転移させる駆動のことである。このベンド状態６４ａ、６４ｂを用いて表示を行うのが、ＯＣＢモードの液晶表示素子を用いた液晶表示装置の特徴であり、電圧の大きさによってベンド状態を変化させることにより、パネルの透過率を変化させるものである。
【００１９】
図６（ａ）に示すベンド状態６４ａは、白表示をしている場合のベンド状態を示し、図６（ｂ）のベンド状態６４ｂは、黒表示をしている場合のベンド状態を示している。
【００２０】
また、ＯＣＢモードの液晶表示素子を用いた液晶表示装置では、その液晶表示パネルに２ボルト以下の電圧を印加し続けると、液晶の配向状態は、ベンド状態６４ａ、６４ｂからスプレイ状態６３に徐々に移行してしまう。このときのスプレイ状態６３に移行してしまう現象が逆転移である。このような逆転移を防止するために、ＯＣＢモードの液晶表示素子を用いた液晶表示装置では、逆転移防止駆動と呼ばれる駆動が行われる。
【００２１】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号とは別に黒色に対応する電圧を印加することにより、逆転移を防止する駆動である。
【００２２】
図４および図５に示す液晶表示装置では、黒順次の期間に逆転移防止用の黒色データを書き込む処理により、この逆転移を防止する駆動を実現している。
【特許文献１】特開２００３−２３３３５２号公報（例えば、図１５）
【発明の開示】
【発明が解決しようとする課題】
【００２３】
しかしながら、図４に示すような従来のフィールドシーケンシャル方式で表示させる液晶表示装置において、ＲＧＢの各色の輝度を個別に調整する場合には、色ムラの現象が発生してしまうという問題があった。
【００２４】
図７は、図４に示す従来の液晶表示装置で、ＲＧＢの各色の輝度を個別に調整する場合の、１フレームを表示させる際の、表示用データ書き込みタイミングおよびＬＥＤ発光タイミングの一例を示した図である。図７では、青色を最大輝度とし、赤色および緑色の輝度をそれぞれ最大輝度よりも低い輝度に設定した場合のタイミングを示している。
【００２５】
図４に示す色別輝度設定部１１８により、ＲＧＢの各色の輝度が個別に設定されると、それらの設定に応じて、ＬＥＤバックライト１１７のＲＧＢ各色のＬＥＤの発光タイミングを個別に調節するように、ＬＥＤ制御部１１２がＬＥＤドライバ１１５を制御する。
【００２６】
そして、色別輝度設定部１１８によって、赤色の輝度が低くなるように設定されると、図７に示すように、図５の場合よりもＲ＿ＬＥＤの点灯期間が短くなるように調整される。図７の例では、同様に、緑色の輝度も低く設定されているので、Ｇ＿ＬＥＤの点灯期間も短くなるように調節される。
【００２７】
液晶表示素子への書き込みは、上のラインの液晶表示素子から下のラインの液晶表示素子へと順次に書き込まれていくため、図７に示すように、液晶応答のタイミングも上のラインから下のラインへと順次にずれていく。
【００２８】
ここで、図７において、赤色の表示データのタイミングについて見ると、このようにＲ＿ＬＥＤの点灯開始タイミングを変化させてＲ＿ＬＥＤの点灯期間を調節する場合には、最終ライン目については液晶応答の期間中Ｒ＿ＬＥＤが点灯しているが、１ライン目については液晶応答の前半の期間にはＲ＿ＬＥＤがまだ点灯していない状態となってしまう。
【００２９】
つまり、この場合には、液晶表示パネル１１６の下の方では、赤色が設定通りの輝度で表示されるが、液晶表示パネル１１６の上の方になるほど、赤色が設定された輝度よりも低い輝度で表示されてしまうことになる。
【００３０】
同様に、図７の例では、緑色の輝度も最大輝度よりも低く設定されているので、緑色についても、液晶表示パネル１１６の上の方になるほど、設定された輝度よりも低い輝度で表示されてしまう。
【００３１】
その結果、図７の例では、液晶表示パネル１１６の上の方の赤色および緑色の輝度が低く表示されてしまうため、液晶表示パネル１１６の上の方が青っぽい表示となってしまい色ムラとなってしまう。
【００３２】
ここでは、各色の個別の輝度の設定に対して、各ＬＥＤの点灯開始タイミングを変化させることにより各ＬＥＤの点灯期間を調節することとしたが、各ＬＥＤの点灯開始タイミングを変えずに消灯タイミングを変えて調節する場合には、表示パネルの下の方の輝度が設定よりも低い輝度で表示されるため、やはりこの場合にも色ムラが発生してしまう。
【００３３】
つまり、このように、ＬＥＤバックライト１１７を点灯させる期間の長さを変化させて各色の輝度を調節する方法では、色ムラの問題が発生してしまうことになる。
【００３４】
本発明は、上述した従来の課題を解決するもので、フィールドシーケンシャルカラー方式で表示させる場合に、各色の輝度を個別に変化させても色ムラが発生しない液晶表示装置の表示方法および液晶表示装置等を提供することを目的とする。
【課題を解決するための手段】
【００３５】
上述した課題を解決するために、第１の本発明は、
マトリックス状に配置された信号線および走査線、および前記信号線および前記走査線の交点に設けられた液晶表示素子を有する液晶表示パネルと、前記液晶表示パネルに照射する光源と、入力される映像データから表示用データを作成する信号処理部とを備えた、時間的な加法混色でカラー表示を行う液晶表示装置の表示方法であって、
１フィールドまたは１フレームの期間内に設けられた色毎の各期間に、前記各色に対応する前記表示用データに対応する電圧を前記信号線に供給する表示電圧供給ステップと、
前記光源の色を、前記色毎の各期間に対応させて時間順次で切り替え、前記各期間毎の所定期間において、前記光源をＰＷＭ（Pulse Width Modulation）制御して各色毎の輝度を調節する光源制御ステップとを備えた、液晶表示装置の表示方法である。
【００３６】
また、第２の本発明は、
前記各色は、赤、緑、青の３色であり、
前記光源は、赤、緑、青のＬＥＤ素子である、第１の本発明の液晶表示装置の表示方法である。
【００３７】
また、第３の本発明は、
前記各所定期間は、対応する色の表示データの最初のデータが書き込み開始されるタイミングから、前記対応する色の表示データの次の色の最初のデータが書き込み開始されるタイミングまでの期間内の期間である、第１の本発明の液晶表示装置の表示方法である。
【００３８】
また、第４の本発明は、
前記液晶表示素子は、ＯＣＢモード液晶である、第１の本発明の液晶表示装置の表示方法である。
【００３９】
また、第５の本発明は、
前記表示電圧供給ステップでは、前記各色のうちの一つの色の電圧を前記信号線に供給する期間と、前記各色のうちの次の別の色の電圧を前記信号線に供給する期間との間の期間に、黒色に対応する電圧を前記信号線に供給する、第４の本発明の液晶表示装置の表示方法である。
【００４０】
また、第６の本発明は、
前記１フィールドまたは１フレームは、６０Ｈｚであり、
前記光源制御ステップでは、前記光源を４ｋＨｚ以上でＰＷＭ制御する、第１の本発明の液晶表示装置の表示方法である。
【００４１】
また、第７の本発明は、
マトリックス状に配置された信号線および走査線、および前記信号線および前記走査線の交点に設けられた液晶表示素子を有する液晶表示パネルと、
前記液晶表示パネルに照射する光源と、
入力される映像データから表示用データを作成する信号処理部と、
１フィールドまたは１フレームの期間内に設けられた色毎の各期間に、前記各色に対応する前記表示用データに対応する電圧を前記信号線に供給させる液晶制御部と、
前記光源の色を、前記色毎の各期間に対応させて時間順次で切り替え、前記各期間毎の所定期間において、前記光源をＰＷＭ制御して各色毎の輝度を調節する光源制御部とを備えた、時間的な加法混色でカラー表示を行う液晶表示装置である。
【００４２】
また、第８の本発明は、
第１の本発明の液晶表示装置の表示方法の、前記各色に対応する前記表示用データに対応する電圧を前記信号線に供給する前記表示電圧供給ステップ、および／または、前記光源の色を前記色毎の各期間に対応させて時間順次で切り替え、前記各期間毎の所定期間において前記光源をＰＷＭ制御して各色毎の輝度を調節する前記光源制御ステップ、を実行するためにコンピュータを機能させるためのプログラムである。
【００４３】
また、第９の本発明は、
第８の本発明のプログラムを記録した記録媒体であって、コンピュータで利用可能な記録媒体である。
【発明の効果】
【００４４】
本発明により、フィールドシーケンシャルカラー方式で表示させる場合に、各色の輝度を個別に変化させても色ムラが発生しない液晶表示装置の表示方法および液晶表示装置等を提供できる。
【発明を実施するための最良の形態】
【００４５】
以下、本発明の実施の形態について、図面を参照しながら説明する。
【００４６】
（実施の形態１）
図１は、本発明の実施の形態１の、液晶表示装置の構成を示すブロック図である。本実施の形態１の液晶表示装置は、ＯＣＢモード液晶を用いたフィールドシーケンシャルカラー方式の液晶表示装置である。
【００４７】
本実施の形態１の液晶表示装置は、ＯＣＢモード液晶を用いた液晶表示パネル１６と、ＲＧＢ３色の光源を持つＬＥＤバックライト１７を備えている。
【００４８】
そして、入力される映像信号をＲＧＢの３原色に分ける信号処理部１０を備えている。また、液晶表示パネル１６を駆動するソースドライバ１３およびゲートドライバ１４を制御する液晶制御部１１を備えている。また、ＬＥＤバックライト１７を駆動するＬＥＤドライバ１５を制御するＬＥＤ制御部１２を備えている。また、ＲＧＢ３色の色毎の輝度を個別に設定する色別輝度設定部１８を備えている。
【００４９】
なお、ＬＥＤバックライト１７が、本発明の光源の一例にあたる。また、ＬＥＤ制御部１２とＬＥＤドライバ１５とを組み合わせた構成が、本発明の光源制御部の一例にあたる。
【００５０】
本実施の形態１の液晶表示装置は、表示用の赤（Ｒ）、緑（Ｇ）、青（Ｂ）のデータを入力される映像信号から作成し、これらの表示用のデータを順次切り替えて表示させることにより、時間的に加法混色させて１フレームを表示させる表示装置である。
【００５１】
次に、図１および図２を用いて、本実施の形態１の液晶表示装置の表示動作について説明する。
【００５２】
まず、図１において、信号処理部１０が、入力されてくる映像信号を表示用のＲＧＢの３原色のデータに分ける。そして、信号処理部１０は、そのＲＧＢの３原色に分けられた表示用データを液晶制御部１１に渡すとともに、ＬＥＤ制御部１２には、その表示用データを液晶表示素子に書き込ませるタイミングを通知する。
【００５３】
なお、ＬＥＤ制御部１２が、ＬＥＤドライバ１５によって表示用データに対応する電圧を各信号線に供給させて各液晶表示素子に書き込ませる処理が、本発明の表示電圧供給ステップの一例にあたる。
【００５４】
一方、ユーザーの操作などによってＲＧＢ３色の色毎に個別に設定された輝度が、色別輝度設定部１８からＬＥＤ制御部１２に通知される。
【００５５】
ＬＥＤ制御部１２は、ＬＥＤバックライト１７が有する３色のＬＥＤ光源毎に予め決められている固定の所定期間内に、色毎に設定された輝度に応じたデューティーでＰＷＭ制御して３色のＬＥＤをそれぞれ発光（点滅）させるように、ＬＥＤドライバ１５を制御する。
【００５６】
なお、ＬＥＤ制御部１２が、色毎に設定された輝度に応じたデューティーで各ＬＥＤの発光をＰＷＭ制御させる処理が、本発明の光源制御ステップの一例にあたる。
【００５７】
図２は、本実施の形態１の液晶表示装置が１フレームを表示する際の、表示用データ書き込みタイミングおよび各ＬＥＤの発光タイミングを示している。
【００５８】
図２に示す「１ライン目の液晶応答」および「最終ライン目の液晶応答」は、それぞれ液晶表示パネル１６の一番上のラインおよび一番下のラインの液晶表示素子における、データの書き込みタイミングとデータの保持タイミングを示している。
【００５９】
また、図２に示すＲ＿ＬＥＤ、Ｇ＿ＬＥＤ、Ｂ＿ＬＥＤは、それぞれ、赤（Ｒ）のＬＥＤ、緑（Ｇ）のＬＥＤ、青（Ｂ）のＬＥＤの発光タイミングを示している。図２において、ＬＯＷ期間はＬＥＤが発光していないタイミングを示しており、斜線で示した期間はＬＥＤがＰＷＭ制御されて発光（点滅）しているタイミング（以下、ＰＷＭ制御期間と呼ぶ）を示している。
【００６０】
図２に示すＲ順次は、赤（Ｒ）の階調のデータを液晶に書き込んでいるタイミングを示し、それに続くＨＯＬＤは、液晶に書き込んだ赤のデータを保持しているタイミングを示している。同様に、Ｇ順次は、緑（Ｇ）の階調のデータを液晶に書き込んでいるタイミングを示し、それに続くＨＯＬＤは、液晶に書き込んだ緑のデータを保持しているタイミングを示している。また同様に、Ｂ順次は、青（Ｂ）の階調のデータを液晶に書き込んでいるタイミングを示し、それに続くＨＯＬＤは、液晶に書き込んだ青のデータを保持しているタイミングを示している。また、各ＨＯＬＤ期間に続く黒順次には、ＯＣＢモード液晶の逆転移を防止するための黒色のデータを書き込んでいる。
【００６１】
なお、Ｒ順次、Ｇ順次、Ｂ順次の期間がそれぞれ、本発明の、１フィールドまたは１フレームの各期間内に設けられた色毎の期間の一例にあたる。
【００６２】
図２に示すように、赤の階調のデータを書き込み保持させているタイミングに、赤のＬＥＤをＰＷＭ制御して発光させることにより赤色を表示させる。同様に、緑の階調のデータを書き込み保持させているタイミングに、緑のＬＥＤをＰＷＭ制御して発光させることにより緑色を表示させ、青の階調のデータを書き込み保持させているタイミングに、青のＬＥＤをＰＷＭ制御して発光させることにより青色を表示させる。
【００６３】
このように、赤、緑、青の各色に対する階調に応じて液晶状態を制御し、ＬＥＤバックライト１７を時間的に赤、緑、青と切り替えながらＰＷＭ制御して発光させることで、赤、緑、青の映像を順次表示させて時間的に混合することでフルカラー表示が得られる。１フレーム期間（１６．６ｍｓ）に、赤、緑、青のＬＥＤバックライト１７を切り替えて発光させることにより、１フレームの画像を表示させる。
【００６４】
液晶制御部１１が、１フレーム期間において、赤、緑、青の各表示データを液晶表示パネル１６の液晶表示素子に順次に書き込ませるタイミングは、図５や図７に示した従来の液晶表示素子の液晶制御部１１１のタイミングと同様である。ＬＥＤ制御部１２の、ＬＥＤドライバ１５に対する制御内容が、従来の液晶表示装置とは異なる。
【００６５】
図２に示すように、各色に対して設定される輝度に関係なく、各ＬＥＤ（Ｒ＿ＬＥＤ、Ｇ＿ＬＥＤ、Ｂ＿ＬＥＤ）のＰＷＭ制御期間を、色毎に設定している固定の所定期間としている。
【００６６】
そして、その固定の各所定期間内で、高速のＰＷＭ制御により各ＬＥＤを発光（点滅）させる。ここでは、１６．６ｍｓの１フレーム期間に対して、４ＫＨｚ以上でＰＷＭ制御している。
【００６７】
図２では、この色毎の固定の所定期間を、いずれも、対応する色の表示データの最初に書き込み開始されるタイミング（図２では、１ライン目の液晶表示素子に書き込み開始されるタイミング）から、対応する色の次の色の表示データの最初に書き込み開始されるタイミングの前までの期間としている。例えば、赤色の表示データが１ライン目に書き込み開始されるタイミングから、次の緑色の表示データが１ライン目に書き込み開始されるタイミングよりも前までの期間を、赤色に対する固定の所定期間（ＰＷＭ制御期間）とし、その期間にＲ＿ＬＥＤをＰＷＭ制御して発光させるようにしている。
【００６８】
そして、ＬＥＤ制御部１２は、輝度に関係なくＰＷＭ制御する周波数を一定（図２の場合、ＰＷＭ制御の周期は一定のＴ期間）とし、色別輝度設定部１８で設定された輝度に応じて各周期（Ｔ）におけるデューティーを変化させて、ＬＥＤドライバ１５にＰＷＭ制御させる。色別輝度設定部１８で設定された輝度が大きいときには、デューティーを大きく（周期Ｔ内のＨＩＧＨ期間を長く）し、色別輝度設定部１８で設定された輝度が小さいときには、デューティーを小さく（周期Ｔ内のＨＩＧＨ期間を短く）する。
【００６９】
図２は、青色の輝度をほぼ最大輝度に設定し、緑色の輝度を最大輝度よりも低く、赤色の輝度は、緑色の場合よりもさらに低い輝度に設定されている場合を示している。このように、輝度が低いほど、周期Ｔ内のＨＩＧＨ期間を短くすることにより、その色の表示輝度を低くなるようにしている。
【００７０】
各ＬＥＤを発光させるＰＷＭ制御期間内ごとに決められたデューティーで、各ＬＥＤをＰＷＭ制御して発光（点滅）させることにより、図２に示すように、各ラインの液晶表示素子への書き込みおよび応答タイミングに対してＬＥＤが一様に発光されることになるので、どのラインも同じ輝度で表示され、その結果、画面全体に色ムラが発生することがない。
【００７１】
なお、図２の場合には、各色のＬＥＤを発光させるＰＷＭ制御期間を同じ長さとしているが、色ごとにＰＷＭ制御期間を異ならせてもよい。ただし、最初に書き込み応答し始める液晶表示素子（図２の場合は、１ライン目の液晶表示素子）の応答開始タイミングから、最後に応答開始する液晶表示素子（図２の場合は、最終ライン目の液晶表示素子）の応答終了タイミングまでの期間を、このＰＷＭ制御期間に含めるように設定するのが望ましい。これらのタイミングを含む期間に設定することにより、色ムラを確実に防止することができる。
【００７２】
ＬＥＤバックライト１７のＰＷＭ制御の周波数が遅くなると、細かい色ムラとなったり、動画の応答性が悪くなる。
【００７３】
図３は、本実施の形態１の液晶表示装置で、各色のＬＥＤを発光させる際のＰＷＭ制御の周波数を変化させた場合の、ＰＷＭ制御の周波数に対する色ムラの認識度合いを調査した結果を示している。
【００７４】
図３の結果より、ＰＷＭ制御の周波数が高いほど色ムラが認識されなくなるが、４ＫＨｚ以上の周波数で現実的に問題ない表示ができることがわかる。
【００７５】
一方、ＰＷＭ制御の周波数が高くなると、高速制御できる周波数制御用部品が必要となり、コストが高くなってしまう。したがって、これらの両面を考慮すると、ＰＷＭ制御の周波数を４ＫＨｚ以上とするのが望ましい。液晶表示パネルのサイズ、動画の表示頻度等の、液晶表示装置の使用環境を考慮して、このＰＷＭ制御の周波数を決定すればよい。
【００７６】
なお、本発明のプログラムは、上述した本発明の液晶表示装置の表示方法の、前記各色に対応する前記表示用データに対応する電圧を前記信号線に供給する前記表示電圧供給ステップ、および／または、前記光源の色を前記色毎の各期間に対応させて時間順次で切り替え、前記各期間毎の所定期間において前記光源をＰＷＭ制御して各色毎の輝度を調節する前記光源制御ステップの動作をコンピュータにより実行させるためのプログラムであって、コンピュータと協働して動作するプログラムである。
【００７７】
また、本発明の記録媒体は、上述した本発明の液晶表示装置の表示方法の、前記各色に対応する前記表示用データに対応する電圧を前記信号線に供給する前記表示電圧供給ステップ、および／または、前記光源の色を前記色毎の各期間に対応させて時間順次で切り替え、前記各期間毎の所定期間において前記光源をＰＷＭ制御して各色毎の輝度を調節する前記光源制御ステップの動作をコンピュータにより実行させるためのプログラムを記録した記録媒体であり、コンピュータにより読み取り可能かつ、読み取られた前記プログラムが前記コンピュータと協働して利用される記録媒体である。
【００７８】
また、本発明のプログラムの一利用形態は、コンピュータにより読み取り可能な記録媒体に記録され、コンピュータと協働して動作する態様であっても良い。
【００７９】
また、記録媒体としては、ＲＯＭ等が含まれる。
【００８０】
また、上述した本発明のコンピュータは、ＣＰＵ等の純然たるハードウェアに限らず、ファームウェアや、ＯＳ、更に周辺機器を含むものであっても良い。
【００８１】
なお、以上説明した様に、本発明の構成は、ソフトウェア的に実現しても良いし、ハードウェア的に実現しても良い。
【００８２】
以上に説明したように、本発明の液晶表示装置およびその表示方法を用いることにより、各色の輝度を個別に変化させても色ムラが発生しない、フィールドシーケンシャルカラー方式で表示させる液晶表示装置を実現できる。
【産業上の利用可能性】
【００８３】
本発明にかかる液晶表示装置の表示方法および液晶表示装置は、フィールドシーケンシャルカラー方式で表示させる場合に、各色の輝度を個別に変化させても色ムラが発生しない効果を有するので、ＯＣＢモード液晶を用いたフィールドシーケンシャルカラー方式の液晶表示装置の表示方法および液晶表示装置等に有用である。
【図面の簡単な説明】
【００８４】
【図１】本発明の実施の形態１の液晶表示装置の構成を示すブロック図
【図２】本発明の実施の形態１の液晶表示装置の１フレームを表示する際の、表示用データ書き込みタイミングおよびＬＥＤ発光タイミングを示す図
【図３】本発明の実施の形態１の液晶表示装置における、ＬＥＤバックライトのＰＷＭ周波数に対する色ムラ認識度合いを示す図
【図４】従来のＯＣＢモード液晶を用いたフィールドシーケンシャルカラー方式の液晶表示装置の構成を示すブロック図
【図５】従来のフィールドシーケンシャルカラー方式の液晶表示装置で、１フレームを表示させる際の、表示用データ書き込みタイミングおよびＬＥＤ発光タイミングを示す図
【図６】（ａ）ＯＣＢ液晶の、白表示の場合のベンド状態を示す図、（ｂ）ＯＣＢ液晶の、黒表示の場合のベンド状態を示す図、（ｃ）ＯＣＢ液晶のスプレイ状態を示す図
【図７】従来のフィールドシーケンシャルカラー方式の液晶表示装置で、各色の輝度を個別に設定した場合の、１フレームを表示させる際の、表示用データ書き込みタイミングおよびＬＥＤ発光タイミングを示す図
【符号の説明】
【００８５】
１０  信号処理部
１１  液晶制御部
１２  ＬＥＤ制御部
１３  ソースドライバ
１４  ゲートドライバ
１５  ＬＥＤドライバ
１６  液晶表示パネル
１７  ＬＥＤバックライト
１８  色別輝度設定部
【図１】
2008020549.tif 000003
【図３】
2008020549.tif 000004
【図４】
2008020549.tif 000005
【図６】
2008020549.tif 000006
【図２】
2008020549.tif 000007
【図５】
2008020549.tif 000008
【図７】
2008020549.tif 000009